(57)【要約】【課題】  良好な操作フィーリングを得ることができ、薄型化が可能な押釦スイッチを提供する。【解決手段】  収納部１ａを有するハウジング１と、収納部１ａの内底面に設けられた固定接点２、３と、固定接点２、３上に配設された可動接点４と、ハウジング１の側部より突出する押圧部６ｄと可撓性の作動部６ｃとを有する操作部材６と、収納部１ａ内に切り起こされた傾斜片７ｅを有しハウジング１の上面に取付けられた蓋体７とを備え、押圧部６ｄの押圧操作に伴い作動部６ｃが傾斜片７ｅ上を摺動して下方へ撓むことで可動接点４を押圧する押釦スイッチであって、操作部材６の押圧操作時に、傾斜片７ｅを有する蓋体７が収納部１ａの可動接点４が配設された方向とは逆の方向に膨らむのを防止する変形阻止部を形成した。【選択図】        図１
2005122989.tif 000002
【特許請求の範囲】
【請求項１】
収納部を有するハウジングと、この収納部の内底面に設けられた固定接点と、この固定接点上に配設された可動接点と、前記ハウジングの側部より突出する押圧部と可撓性の作動部とを有する操作部材と、前記収納部内に切り起こされた傾斜片を有し前記ハウジングの上面に取付けられた蓋体とを備え、前記押圧部の押圧操作に伴い前記作動部が前記傾斜片上を摺動して下方へ撓むことで前記可動接点を押圧する押釦スイッチであって、前記操作部材の押圧操作時に、前記傾斜片を有する蓋体が前記収納部の前記可動接点が配設された方向とは逆の方向に膨らむのを防止する変形阻止部を形成したことを特徴とする押釦スイッチ。
【請求項２】
前記操作部材の操作方向に沿って、前記蓋体の前記傾斜片の近傍に長尺状のリブを形成し、このリブで前記変形阻止部を構成したことを特徴とする請求項１記載の押釦スイッチ。
【請求項３】
前記蓋体の一部を、前記操作部材の操作方向に対して、前記傾斜片を挟んで対向する両側部から前記ハウジングの両側面に延出して脚部を形成すると共に、この脚部に係止片を設け、この係止片を前記ハウジングに係合させることにより前記変形阻止部を構成したことを特徴とする請求項１記載の押釦スイッチ。
【請求項４】
前記ハウジングは外部接続端子を備え、前記蓋体を金属板で形成すると共に、この金属板の一部を、前記操作部材の操作方向に対して、前記傾斜片を挟んで対向する両側部から前記ハウジングの両側面に延出して脚部を形成し、この脚部の先端を前記外部接続端子と同時に面実装用基板に半田付けして取付けることにより前記変形阻止部を構成したことを特徴とする請求項１記載の押釦スイッチ。
【請求項５】
前記変形阻止部を挟んで対向した位置に前記押圧部と前記外部接続端子とを配置したことを特徴とする請求項４記載の押釦スイッチ。
【請求項６】
前記外部接続端子を、前記操作部材の操作方向に対して、前記ハウジングの中央よりも後端側に配置し、前記脚部の幅を前記外部接続端子の幅よりも幅広に形成したことを特徴とする請求項４記載の押釦スイッチ。
【請求項７】
前記脚部と前記ハウジングの側面との間には、空隙を形成したことを特徴とする請求項４乃至６の何れかに記載の押釦スイッチ。
【発明の詳細な説明】
【技術分野】
【０００１】
本発明は、各種電子機器の操作用スイッチとして使用される押釦スイッチに係り、特に、薄型の横押しタイプの押釦スイッチに関する。
【背景技術】
【０００２】
従来の押し釦スイッチの構造としては、蓋体からハウジング内部へ切り起こされて、可動接点と対向する傾斜片を備え、この傾斜片と可動接点の間に介設されて、弾性を有する作動部を有する操作部材が、押圧部の押圧により作動部が傾斜片上を摺動して可動接点を押圧して接点の切り換えを行なう押釦スイッチが知られている（例えば、特許文献１参照）。
【０００３】
以下、従来の押釦スイッチの構造を図に基づいて説明する。
図１０は従来の押釦スイッチの分解斜視図、図１１は従来の押釦スイッチの断面図である。
【０００４】
従来の押し釦スイッチは、開口１０を有するハウジング１１と、該開口１０の内底部に設けられた固定接点１２、１３と、該固定接点１２、１３上に配置された可動接点１４と、この可動接点１４上に設けられ、ポリイミド等からなる防塵用シート１５と、該シート１５を介して可動接点１４を作動させる操作部材１６と、前記ハウジング１０の上部に取付けられ、前記開口を覆う蓋体１７とから構成されている。
【０００５】
固定接点１２、１３は、インサート成形によりハウジング１１と一体的に形成され、該固定接点１２、１３からそれぞれ導出された外部端子１２ａ、１３ａがハウジング１１の外壁に設けられている。
ハウジング１１は、四隅よりそれぞれ上方へ突出する４個の突起２０と、これらの突起２０の近傍にそれぞれ設けられ、操作部材１６を案内する案内部２１と、一方の側端より上方へ突出する壁部２２と、他方の側端より外方へ突出するブロック部２３と、該他方の側端の突起２０よりそれぞれ外方へ突出し、蓋体１７を係止する係止部２４、２５とを備えている。
【０００６】
可動接点１４は、弾性を有する薄肉金属板からなり、ハウジング１１の開口１０内に配置される。この可動接点１４は、操作部材１６の移動方向と平行な２本の切欠き２６を有し、周辺部２７が固定接点１２と常時接触するとともに、中央部２８が上方へ湾曲した状態で他の固定接点１３上に位置する。
防塵用シート１５は、周囲がハウジング１１の上面１１ａに載置され、このシート１５上に操作部材１６が載置される。
【０００７】
蓋体１７は、四隅に設けられ、前記突起２０とそれぞれ係合する切り欠き３０と、側端より下方に突出し、ハウジング１１の上面１１ａおよび案内部２１の上端に当接する壁部３１と、他の側端から下方へ突出し、前記係止部２４、２５にそれぞれ係合する一対の腕部３２を備えている。また、該蓋体１７は、中央部よりハウジング１１内側に切り起こされ、可動接点１４の中央部２８と対向する傾斜片３３を備える。
【０００８】
操作部材１６は、傾斜片３３および可動接点１４の中央部２８間に介設された作動部３４と、この作動部３４の側方に設けられ、前記案内部２１上を摺動するコの字状のガイド部３５と、ハウジング１１の側部より外方へ突出する押圧部３６とからなる。前記作動部３４は、薄肉部３４ａを介して押圧部３６に連結され、弾性を有している。また、作動部３４およびガイド部３５によって形成される開口３９には、傾斜片３３が係合する。
【０００９】
上記押し釦スイッチは、操作部材１６の押圧部３６を図１１の左方向へブロック部２３に当接するまで押圧するとき、蓋体１７よりハウジング１１内側に切り起こされた傾斜片３３上を操作部材１６の作動部３４が摺動することにより案内され、これに伴い、該作動部３４が薄肉部３４ａで弾性変形しながら図１１の反時計方向へ回動するので、この作動部３４の先端がシート１５を介して可動接点１４の中央部２８を押圧する。これによって、該中央部２８は下方へ反転して固定接点１３と接触してスイッチ・オンの状態となる。
【００１０】
【特許文献１】実用新案登録第２５７２５９０号
【発明の開示】
【発明が解決しようとする課題】
【００１１】
しかしながら、上述した従来の押釦スイッチの構造においては、蓋体は操作部材の操作方向に沿った前後方向に設けられた腕部と係止部でハウジングに取付けているため、傾斜片上を操作部材の作動部が摺動する際に、傾斜片を設けた蓋体が可動接点の押圧方向とは反対側に浮き上がり易く、このため、操作部材の操作量に対する可動接点の反転位置にバラツキが生じて、操作フィーリングが悪くなる可能性があり、押釦スイッチの薄型化を阻害するという問題があった。
【００１２】
したがって、本発明では上述した問題点を解決し、良好な操作フィーリングを得ることができ、薄型化が可能な押釦スイッチを提供することを目的とする。
【課題を解決するための手段】
【００１３】
上記課題を解決するために本発明では第１の解決手段として、収納部を有するハウジングと、この収納部の内底面に設けられた固定接点と、この固定接点上に配設された可動接点と、前記ハウジングの側部より突出する押圧部と可撓性の作動部とを有する操作部材と、前記収納部内に切り起こされた傾斜片を有し前記ハウジングの上面に取付けられた蓋体とを備え、前記押圧部の押圧操作に伴い前記作動部が前記傾斜片上を摺動して下方へ撓むことで前記可動接点を押圧する押釦スイッチであって、前記操作部材の押圧操作時に、前記傾斜片を有する蓋体が前記収納部の前記可動接点が配設された方向とは逆の方向に膨らむのを防止する変形阻止部を形成した構成とした。
【００１４】
また、第２の解決手段として、前記操作部材の操作方向に沿って、前記蓋体の前記傾斜片の近傍に長尺状のリブを形成し、このリブで前記変形阻止部を構成した構成とした。
また、第３の解決手段として、前記蓋体の一部を、前記操作部材の操作方向に対して、前記傾斜片を挟んで対向する両側部から前記ハウジングの両側面に延出して脚部を形成すると共に、この脚部に係止片を設け、この係止片を前記ハウジングに係合させることにより前記変形阻止部を構成した構成とした。
【００１５】
また、第４の解決手段として、前記ハウジングは外部接続端子を備え、前記蓋体を金属板で形成すると共に、この金属板の一部を、前記操作部材の操作方向に対して、前記傾斜片を挟んで対向する両側部から前記ハウジングの両側面に延出して脚部を形成し、この脚部の先端を前記外部接続端子と同時に面実装用基板に半田付けして取付けることにより前記変形阻止部を構成した構成とした。
また、第５の解決手段として、前記変形阻止部を挟んで対向した位置に前記押圧部と前記外部接続端子とを配置した構成とした。
【００１６】
また、第６の解決手段として、前記外部接続端子を、前記操作部材の操作方向に対して、前記ハウジングの中央よりも後端側に配置し、前記脚部の幅を前記外部接続端子の幅よりも幅広に形成した構成とした。
また、第７の解決手段として、前記脚部と前記ハウジングの側面との間には、空隙を形成した構成とした。
【発明の効果】
【００１７】
以上説明したように、本発明の押釦スイッチは、収納部を有するハウジングと、収納部の内底面に設けられた固定接点と、固定接点上に配設された可動接点と、ハウジングの側部より突出する押圧部と可撓性の作動部とを有する操作部材と、収納部内に切り起こされた傾斜片を有しハウジングの上面に取付けられた蓋体とを備え、押圧部の押圧操作に伴い作動部が傾斜片上を摺動して下方へ撓むことで可動接点を押圧する押釦スイッチであって、操作部材の押圧操作時に、傾斜片を有する蓋体が収納部の可動接点が配設された方向とは逆の方向に膨らむのを防止する変形阻止部を形成したことから、操作部材の押圧操作時に作動部が傾斜片上を摺動しても変形阻止部によって蓋体が浮き上がることがないので、良好な操作フィーリングを得ることができると共に、スイッチの薄型化が可能となる。
【００１８】
また、操作部材の操作方向に沿って、蓋体の傾斜片の近傍に長尺状のリブを形成し、リブで変形阻止部を構成したことから、別途部品を追加することなく簡単に変形阻止部が形成できるので、安価対応が可能となる。
また、蓋体の一部を、操作部材の操作方向に対して、傾斜片を挟んで対向する両側部からハウジングの両側面に延出して脚部を形成すると共に、脚部に係止片を設け、係止片をハウジングに係合させることにより変形阻止部を構成したことから、同じく別途部品を追加することなく簡単に変形阻止部が形成できるので、安価対応が可能となる。また、蓋体を脚部の係止片により確実にハウジングに係合させることができる。
【００１９】
また、ハウジングは外部接続端子を備え、蓋体を金属板で形成すると共に、金属板の一部を、操作部材の操作方向に対して、傾斜片を挟んで対向する両側部からハウジングの両側面に延出して脚部を形成し、脚部の先端を外部接続端子と同時に面実装用基板に半田付けして取付けることにより変形阻止部を構成したことから、基板への実装時に外部接続端子と同時に蓋体の変形阻止部が半田付けされることにより、確実に蓋体の浮き上がりを防止することができる。
また、変形阻止部を挟んで対向した位置に押圧部と外部接続端子とを配置したことから、外部接続端子を支点とした操作時の回転モーメントで押釦スイッチが剥離するのを防止することができる。
【００２０】
また、外部接続端子を、操作部材の操作方向に対して、ハウジングの中央よりも後端側に配置し、脚部の幅を外部接続端子の幅よりも幅広に形成したことから、脚部の半田付け面積を大きく確保することができるので、半田付けを強固に行なうことができる。
また、脚部とハウジングの側面との間には、空隙を形成したことから、脚部の板面の両側から半田付けできるので、強固に半田付けできると共に、脚部とハウジングの側面を伝ってスイッチ内部へフラックスが侵入するのを防止することができる。
【発明を実施するための最良の形態】
【００２１】
以下、本発明の押釦スイッチの実施形態を図１乃至図９に示す。図１は押釦スイッチの平面図、図２は押釦スイッチの側面図、図３は押釦スイッチの要部断面図、図４は押釦スイッチの押圧時の要部断面図、図５はハウジングの平面図、図６は押釦スイッチを面実装用基板に半田付けして取付けた状態を示す側面図、図７は蓋体の脚部を幅広にして半田付けして取付けた状態を示す側面図、図８は蓋体にリブを形成した状態を示す平面図、図９は蓋体の脚部に係止部を設けた状態を示す側面図である。
【００２２】
図１乃至図３及び図５に示すように、本実施例の押釦スイツチは、収納部を有するハウジング１と、収納部の内底面に対向して設けられた一対の固定接点２、３と、これら固定接点２、３上に配設された可動接点４と、この可動接点４上に設けられ、ポリイミド等からなる防塵シート５と、この防塵シート５を介して可動接点４を作動させる操作部材６と、前記ハウジング１の上面に取付けられ、前記収納部を覆う蓋体７とから構成されている。
【００２３】
ハウジング１は、合成樹脂などの絶縁材からなり、上面開口状の箱型に形成されており、収納部１ａを有している。また、ハウジング１の上面側の四隅には、上方へ突出する突起１ｂが形成されており、この突起１ｂに後述する蓋体７の四隅に形成された係合凹部７ｂが係合されて位置決めされるものとなっている。また、ハウジング１の一側面には、切窓部１ｃが設けられており、この切窓部１ｃには後述する操作部材６の押圧部６ｄが突出されて押圧方向に移動可能に係合されるものとなっている。
【００２４】
また、前記ハウジング１の収納部１ａの内底面には、導電性の金属板からなる一対の固定接点２、３がインサート成形などの方法により一部が表出された状態で一体的に対向して配設されている。また、この固定接点２、３からは、それぞれ導出された外部接続端子２ａ、３ａが、ハウジング１の側面から外方に突出して設けられている。この外部接続端子２ａ、３ａは、ハウジング１の底面と略平行に突出された後、その先端がハウジング１の側面に沿って空隙Ｓが形成された状態で上方に折り曲げられて、面実装用の端子形状（Ｊベント状）に形成されている。
【００２５】
可動接点４は、弾性を有する導電性の薄肉金属板からなり、ハウジング１の収納部１ａの一対の固定接点２、３上に配設され、その周辺部４ａが一方の固定接点２と常時接触するとともに、中央部４ｂが上方へ湾曲した状態で他方の固定接点３上に対向した状態で配設されている。また、中央部４ｂは押圧された際には湾曲部が反転可能に形成されており、この反転時に固定接点３と接触するようになっている。
【００２６】
防塵シート５は、ポリイミドなどの絶縁性の樹脂シート等からなり、周囲がハウジング１の上面に載置され、収納部１ａを覆うように配設されている。また、この防塵シート５上に後述する操作部材６が載置され、防塵シート５を介して操作部材６の作動部６ａにより可動接点４の中央部４ｂが押圧されるものとなっている。
【００２７】
操作部材６は、合成樹脂などの絶縁材からなり、この操作部材６には、方形状で中央に開口部６ａを有する基台部６ｂと、この開口部６ａに片持ち梁状に突出した可撓性の作動部６ｃと、前記ハウジング１の切窓部１ｃより外方へ突出する押圧部６ｄとが形成されている。前記作動部６ｃは、薄肉状のアーム部６ｅを介して押圧部６ｄに連結されており、このアーム部６ｅが撓むことにより作動部６ｃが下方向に弾性変位可能となっている。
【００２８】
また、操作部材６は、前記ハウジング１の上面に載置された防塵シート５の上面に載置され、ハウジング１の切窓部１ｃから突出した押圧部６ｄが押圧されることにより、ハウジング１の収納部１ａ内に横方向にスライド移動可能に配設されている。
【００２９】
蓋体７は、導電性の金属板を打ち抜き、折り曲げることにより形成されており、平板状の上板部７ａと、この上板部７ａの四隅に設けられ、前記ハウジング１の上面側の突起１ｂとそれぞれ係合する係合凹部７ｂと、上板部７ａの対向する一対の側端より突出し、ハウジング１の側面に沿って空隙Ｓが形成された状態で折り曲げられて下方へ延設された脚部７ｃと、他の側端から下方へ突出し、ハウジング１の図示しない係合部にそれぞれ係合する複数の係合腕部７ｄを備えている。
【００３０】
また、蓋体７の上板部７ａには、中央部よりハウジング１の収納部１ａ内側に切り起こされ、その先端側が前記操作部材６の基台部６ｂに設けられた開口部６ａに挿入されて、前記可動接点４の中央部４ｂと対向する傾斜片７ｅが形成されている。この傾斜片７ｅは、下方に折り曲げられて形成されており、この傾斜片７ｅの斜面に前記操作部材６の可撓性を有するアーム部６ｅの先端に設けられた作動部６ｃが摺動することにより、作動部６ｃが押し下げられて、可動接点４の中央部４ｂを下方へ押圧することになる。
【００３１】
また、蓋体７の上板部７ａの対向する一対の側端より突出し、下方へ延設して形成された前記脚部７ｃは、前記操作部材６の操作方向に対して、前記傾斜片７ｅを挟んで対向する両側部から前記ハウジングの両側面に延出して形成されている。
【００３２】
上記構成の押釦スイッチを組み立てるには、まず、ハウジング１の収納部１ａ内に可動接点４を載置し、この可動接点４上を防塵シート５で覆い、この防塵シート５の周囲をハウジング１の上面に貼り付ける。次に、この防塵シート５上に操作部材６を配置した後、蓋体７をハウジング１上に載置する。この時、それぞれの四隅に形成された、係合凹部７ｂに突起１ｂをそれぞれ嵌め込み、係合腕部７ｄをハウジング１の係合部（図示せず）にそれぞれ係止させることにより完成する。
【００３３】
次に、図３及び図４を用いて上記構成の押釦スイッチの動作を説明する。
まず、操作部材６が非押圧時の初期の状態においては、図３に示すように、操作部材６の作動部６ｃは、蓋体７の傾斜片７ｅの折り曲げ部の根元近傍に位置しており、下方へは弾性変位されないで可動接点４と固定接点３とは離間した状態となっている。
【００３４】
この状態から、操作部材６の押圧部６ｄを図４の右方向へ押圧すると、蓋体７よりハウジング１内側に切り起こされた傾斜片７ｅの斜面上を、操作部材６の作動部６ｃが摺動することにより案内され、これに伴い、作動部６ｃがアーム部６ｅで弾性変位しながら図４に示すように下（時計）方向へ回動するので、この作動部６ｃの先端が防塵シート５を介して可動接点４の中央部４ｂを押圧する。
【００３５】
これによって、中央部４ｂは下方へ反転して固定接点３と接触してスイッチがオンの状態となる。この状態から、押圧部６ｄの押圧状態を解除すると、アーム部６ｅ自体の弾発力により作動部６ｃが図４の上（反時計）方向に回動しながら傾斜片７ｅの斜面上を摺動することにより、操作部材６が図４の左方向へスライド移動して初期状態に復帰する。この時、作動部６ｃの回動に伴い、可動接点４の中央部４ｂも弾発力により上方へ反転して固定接点３より離間し、スイッチがオフとなる。
【００３６】
図６及び図７に示すのは、上記構成の押釦スイッチを図示しない電子機器などの実装用基板に面実装して取付けた状態を示している。
この場合、ハウジング１の側面から突出して形成された面実装用の外部接続端子２ａ、３ａが、実装用基板８に半田９で半田付けして取付けられている。また、同時に、蓋体７の上板部７ａの対向する一対の側端より突出し、ハウジング１の側面に沿って空隙Ｓが形成された状態で折り曲げられて下方へ延設された脚部７ｃが、その先端側を同じく半田９で半田付けして取付けられている。
【００３７】
上記構成の押釦スイッチは、その動作過程において、蓋体７の上板部７ａ中央が、操作部材６の作動部６ｃが傾斜片７ｅの斜面を摺動する時の反作用によって、アーム部６ｅの弾発力で上方へ付勢されて膨らむことになる。
しかしながら、本構成では、蓋体７を金属板で形成すると共に、蓋体７の一部を、操作部材６の操作方向に対して、傾斜片７ｅを挟んで対向する両側部からハウジング１の両側面に延出して脚部７ｃを形成し、この脚部７ｃの先端を、外部接続端子２ａ、３ａと同時に面実装用の基板８に半田付けして取付けるようにしたことから、基板８への実装時に外部接続端子２ａ、３ａと同時に蓋体７の脚部７ｃ（変形阻止部）が半田付けされることにより、確実に蓋体の浮き上がりを防止することができるものとなっている。
【００３８】
また、図７においては、外部接続端子２ａ、３ａを、操作部材６の操作方向に対して、ハウジング１の中央よりも後端側に配置するようにしてあり、また、脚部７ｃの幅Ｗ１を、外部接続端子２ａ、３ａの幅Ｗ２よりも幅広となるように形成してある。このように脚部７ｃを形成することにより、脚部７ｃの半田付け面積を大きく確保することができるので、半田９による半田付けを強固に行なうことができるものとなる。
【００３９】
また、脚部７ｃ（変形阻止部）を挟んで対向した位置に、操作部材６の押圧部６ｄと外部接続端子２ａ、３ａとをそれぞれ配置するようにしたので、押圧操作時に押圧部６ｄが上方に傾いて押されて、押釦スイッチに外部接続端子２ａ、３ａを支点として押圧操作時の回転モーメントが働いたとしても、脚部７ｃが強固に半田付けされているので、押釦スイッチが剥離するのを防止することができるものとなる。
【００４０】
また、本構成では、脚部７ｃとハウジング１の側面との間には、空隙Ｓを形成したことから、脚部７ｃの板面の両側から半田９を浸透させて半田付けできるので、強固に半田付けできると共に、この半田付け時に、脚部７ｃとハウジング１の側面の間を伝って、スイッチ内部へフラックスが侵入するのを防止することができるものとなっている。
【００４１】
図８に示すのは、蓋体７の上板部７ａに設けられた傾斜片７ｅを挟んで近傍の両側に、操作部材６の操作方向に沿って、突き出しなどの方法で長尺状のリブ７ｆ（変形阻止部）を形成している。このように、上板部７ａにリブ７ｆを形成することにより、蓋体７が変形し難くなるので、別途部品を追加することなく簡単に変形阻止部が形成できるので、安価対応が可能となる。
【００４２】
また、図９に示すのは、蓋体７の両側部からハウジング１の両側面に延出して形成した脚部７ｃの先端を内方へ折り曲げて係止片７ｇを設けると共に、ハウジング１の両側面には係止溝１ｄを設けるようにしている。そして、この係止片７ｇを係止溝１ｄに係合させることにより、上板部７ａの中央が上方へ膨らむのを防止でき、蓋体７が変形し難くなるので、同じく、別途部品を追加することなく簡単に変形阻止部が形成できるので、安価対応が可能となると共に、蓋体７を脚部７ｃの係止片７ｇによって確実にハウジング１に係合させることができるものとなる。
【００４３】
尚、この場合には、蓋体７の脚部７ｃを面実装用の基板８へ半田付けする必要はなく、外部接続端子２ａ、３ａのみ面実装用の基板８に半田付けして取付ければ良いものとなる。
【００４４】
上記した本発明の実施例によれば、操作部材６の押圧部６ｄの押圧操作に伴い、操作部材６の作動部６ｃが、蓋体７の傾斜片７ｅの斜面上を摺動して下方へ撓むことにより下方に配設された可動接点４を押圧してスイッチをオンさせる押釦スイッチの構成において、操作部材６の押圧操作時に、傾斜片７ｅを有する蓋体７が、収納部１ａの可動接点４が配設された方向とは逆の方向（上方）に膨らむのを防止する変形阻止部として、面実装用の基板８に半田付け可能な脚部７ｃ、蓋体７の上板部７ａに設けたリブ７ｆ、ハウジング１の係止溝１ｄに係合する係止片７ｇを形成するようにしたので、操作部材６の押圧操作時に、作動部６ｃが傾斜片７ｅの斜面上を摺動しても、これらの変形阻止部によって蓋体７が浮き上がることを防止できるので、良好な操作フィーリングを得ることができると共に、スイッチの薄型化が図れるものとなっている。
【図面の簡単な説明】
【００４５】
【図１】本発明の押釦スイッチを示す平面図である。
【図２】本発明の押釦スイッチを示す側面図である。
【図３】本発明の押釦スイッチを示す要部断面図である。
【図４】本発明の押釦スイッチの押圧時を示す要部断面図である。
【図５】本発明の押釦スイッチのハウジングを示す平面図である。
【図６】本発明の押釦スイッチを面実装用基板に半田付けして取付けた状態を示す側面図である。
【図７】本発明の蓋体の脚部を幅広にして半田付けして取付けた状態を示す側面図である。
【図８】本発明の押釦スイッチの蓋体にリブを形成した状態を示す平面図である。
【図９】本発明の押釦スイッチの蓋体の脚部に係止部を設けた状態を示す側面図である。
【図１０】従来の押釦スイッチを示す分解斜視図である。
【図１１】従来の押釦スイッチを示す断面図である。
【符号の説明】
【００４６】
１：ハウジング
１ａ：収納部
１ｂ：突起
１ｃ：切窓部
１ｄ：係止溝
２：固定接点
２ａ：外部接続端子
３：固定端子
３ａ：外部接続端子
４：可動接点
４ａ：周辺部
４ｂ：中央部
５：防塵シート
６：操作部材
６ａ：開口部
６ｂ：基台部
６ｃ：作動部
６ｄ：押圧部
６ｅ：アーム部
７：蓋体
７ａ：上板部
７ｂ：係合凹部
７ｃ：脚部
７ｄ：係合腕部
７ｅ：傾斜片
７ｆ：リブ
７ｇ：係止片
８：基板
９：半田
【図１】
2005122989.tif 000003
【図２】
2005122989.tif 000004
【図３】
2005122989.tif 000005
【図４】
2005122989.tif 000006
【図５】
2005122989.tif 000007
【図６】
2005122989.tif 000008
【図７】
2005122989.tif 000009
【図８】
2005122989.tif 000010
【図９】
2005122989.tif 000011
【図１０】
2005122989.tif 000012
【図１１】
2005122989.tif 000013